(57)【要約】【課題】ユーザーの所望しない印刷を抑制する。【解決手段】画像形成装置１は、判定部１１１、表示部１１２、指示部１１９及び画像形成ユニット１４を備える。判定部１１１は、「待ち状態」において、２つ以上の所定個数ＮＡの内部情報ＦＪの印刷指示が行われたか否かを判定する。「待ち状態」は、所定個数ＮＡの内部情報ＦＪのうち、少なくとも１つの内部情報ＦＪＡの変更を有効にするために、再起動、及びプログラムのアップデートの少なくとも一方の実行が待たされている状態を示す。表示部１１２は、「待ち状態」で所定個数ＮＡの内部情報ＦＪの印刷指示が行われたと判定部１１１が判定した場合に、「待ち状態」である旨をタッチパネル１８１に表示する。指示部１１９は、画像形成ユニット１４に対して所定個数ＮＡの内部情報ＦＪを示す第１画像Ｐ１を用紙Ｐに形成するよう指示する。【選択図】図２
2018199294.tif 000002
【特許請求の範囲】
【請求項１】
待ち状態において、２つ以上の所定個数の内部情報の印刷指示が行われたか否かを判定する判定部と、
前記待ち状態で前記所定個数の内部情報の印刷指示が行われたと前記判定部が判定した場合に、前記待ち状態である旨を表示する表示部と、
前記所定個数の内部情報を示す第１画像を記録媒体に形成する画像形成部と
を備え、
前記待ち状態は、前記所定個数の内部情報のうち、少なくとも１つの内部情報の変更を有効にするために、再起動、及びプログラムのアップデートの少なくとも一方の実行が待たされている状態を示す、画像形成装置。
【請求項２】
前記待ち状態で前記所定個数の内部情報の印刷指示が行われたと前記判定部が判定した場合に、前記所定個数の内部情報を印刷するか否かを決定する第１決定部を更に備え、
前記画像形成部は、前記所定個数の内部情報を印刷すると前記第１決定部が決定した場合に、前記記録媒体に前記第１画像を形成する、請求項１に記載の画像形成装置。
【請求項３】
前記所定個数の内部情報を印刷すると前記第１決定部が決定した場合に、有効になっていない前記少なくとも１つの内部情報があることを示す第２画像を前記記録媒体に形成するか否かを決定する第２決定部を更に備え、
前記画像形成部は、前記第２画像を前記記録媒体に形成すると前記第２決定部が決定した場合に、前記第２画像を前記記録媒体に形成する、請求項２に記載の画像形成装置。
【請求項４】
前記待ち状態で前記所定個数の内部情報の印刷指示が行われたと前記判定部が判定した場合に、前記少なくとも１つの内部情報の変更が有効になった後に前記第１画像を前記記録媒体に形成するか否かを決定する第３決定部を更に備え、
前記画像形成部は、前記少なくとも１つの内部情報の変更が有効になった後に前記第１画像を前記記録媒体に形成すると前記第３決定部が決定した場合に、前記少なくとも１つの内部情報の変更が有効になった後に、前記記録媒体に前記第１画像を形成する、請求項１から請求項３のいずれか１項に記載の画像形成装置。
【請求項５】
前記所定個数の内部情報毎に、印刷するか否かを決定する第４決定部を更に備え、
前記画像形成部は、前記所定個数の内部情報のうち前記第４決定部が印刷すると決定した内部情報を示す画像を前記記録媒体に形成する、請求項１から請求項４のいずれか１項に記載の画像形成装置。
【請求項６】
前記所定個数の内部情報のうち複数の内部情報を一括して変更する変更部を更に備え、
前記変更部が前記複数の内部情報を一括して変更した場合に、前記画像形成部は、前記複数の内部情報が一括して変更されたことを示す第３画像を前記記録媒体に形成する、請求項１から請求項５のいずれか１項に記載の画像形成装置。
【請求項７】
前記所定個数の内部情報を初期値に一括して変更する初期化部を更に備え、
前記初期化部が前記所定個数の内部情報を初期値に一括して変更した場合に、前記画像形成部は、前記所定個数の内部情報が初期値に一括して変更されたことを示す第４画像を前記記録媒体に形成する、請求項１から請求項６のいずれか１項に記載の画像形成装置。
【請求項８】
前記所定個数の内部情報を初期値に一括して変更する初期化部を更に備え、
前記初期化部が前記所定個数の内部情報を一括して初期値に変更した場合に、前記表示部は、前記所定個数の内部情報が一括して初期値に変更された旨を表示する、請求項１から請求項６のいずれか１項に記載の画像形成装置。
【請求項９】
前記画像形成部は、前記所定個数の内部情報のうち、変更が有効になった前記少なくとも１つの内部情報を他の内部情報と異なる形態の画像で前記記録媒体に形成する、請求項１から請求項８のいずれか１項に記載の画像形成装置。
【発明の詳細な説明】
【技術分野】
【０００１】
本発明は、画像形成装置に関する。
【背景技術】
【０００２】
特許文献１に記載の印刷システムは、複合機とパーソナルコンピューターとを備える。パーソナルコンピューターは複合機の内部情報を取得する。内部情報は、ステータス情報、及び設定情報を含む。パーソナルコンピューターは内部情報を印刷するための印刷データを生成する。また、パーソナルコンピューターは複合機に印刷データを印刷させる。
【先行技術文献】
【特許文献】
【０００３】
【特許文献１】特開２００７−６２１２号公報
【発明の概要】
【発明が解決しようとする課題】
【０００４】
しかしながら、特許文献１に記載の印刷システムでは、変更前の内部情報が印刷される可能性がある。具体的には、内部情報の変更を有効にするために、複合機の再起動、及び複合機のプログラムのアップデートの少なくとも一方が必要である場合には、変更前の内部情報が印刷される可能性がある。その結果、ユーザーの所望しない印刷が行われる可能性がある。
【０００５】
本発明は、上記課題に鑑みてなされたものであり、ユーザーの所望しない印刷を抑制可能な画像形成装置を提供することを目的としている。
【課題を解決するための手段】
【０００６】
本発明の画像形成装置は、判定部、表示部、及び画像形成部を備える。前記判定部は、待ち状態において、２つ以上の所定個数の内部情報の印刷指示が行われたか否かを判定する。前記待ち状態は、前記所定個数の内部情報のうち、少なくとも１つの内部情報の変更を有効にするために、再起動、及びプログラムのアップデートの少なくとも一方の実行が待たされている状態を示す。前記表示部は、前記待ち状態で前記所定個数の内部情報の印刷指示が行われたと前記判定部が判定した場合に、前記待ち状態である旨を表示する。前記画像形成部は、前記所定個数の内部情報を示す第１画像を記録媒体に形成する。
【発明の効果】
【０００７】
本発明の画像形成装置によれば、ユーザーの所望しない印刷を抑制できる。
【図面の簡単な説明】
【０００８】
【図１】本発明の実施形態に係る画像形成装置の構成を示す図である。
【図２】本発明の実施形態に係る制御部の構成を示す図である。
【図３】制御部の処理を説明するための画面図である。（ａ）は、印刷対象選画面の画面図であり、（ｂ）は、印刷条件設定画面の画面図である。
【図４】用紙に形成される画像の一例を示す図である。
【図５】制御部の処理を示すフローチャートである。
【図６】制御部の処理を示すフローチャートである。
【図７】制御部の処理を示すフローチャートである。
【図８】制御部の画像形成処理を示すフローチャートである。
【発明を実施するための形態】
【０００９】
以下、本発明の実施形態について、図面（図１〜図８）を参照しながら説明する。なお、図中、同一又は相当部分については同一の参照符号を付して説明を繰り返さない。
【００１０】
まず、図１を参照して、本発明の実施形態に係る画像形成装置１について説明する。図１は、画像形成装置１の構成を示す図である。図１に示すように、画像形成装置１は、カラー複合機である。画像形成装置１は、いわゆる、「電子写真方式」で用紙Ｐ（記録媒体）に画像を形成する。
【００１１】
画像形成装置１は、制御部１１、給送部１２、搬送部Ｌ、トナー供給ユニット１３、画像形成ユニット１４、定着部１６、排出部１７及び操作表示部１８を備える。画像形成ユニット１４は、転写部１５を含む。
【００１２】
制御部１１は、プロセッサー１１Ａ及び記憶部１１Ｂを備える。プロセッサー１１Ａは、例えばＣＰＵ（Ｃｅｎｔｒａｌ  Ｐｒｏｃｅｓｓｉｎｇ  Ｕｎｉｔ）を備える。記憶部１１Ｂは、半導体メモリーのようなメモリーを備え、ＨＤＤ（Ｈａｒｄ  Ｄｉｓｋ  Ｄｒｉｖｅ）を備えてもよい。記憶部１１Ｂは、制御プログラムを記憶している。
【００１３】
給送部１２は、用紙Ｐを搬送部Ｌへ供給する。搬送部Ｌは、用紙Ｐを転写部１５及び定着部１６を経由して排出部１７まで搬送する。
【００１４】
トナー供給ユニット１３は、画像形成ユニット１４にトナーを供給する。画像形成ユニット１４は、用紙Ｐに画像を形成する。画像形成ユニット１４は、「画像形成部」の一部に相当する。
【００１５】
転写部１５は、中間転写ベルト１５４を備える。画像形成ユニット１４が、中間転写ベルト１５４上にシアン色、マゼンタ色、イエロー色、及び黒色のトナー像を転写する。複数色のトナー像が中間転写ベルト１５４上で重畳され、中間転写ベルト１５４上に画像が形成される。転写部１５は、中間転写ベルト１５４上に形成された画像を、用紙Ｐ上に転写する。その結果、用紙Ｐに画像が形成される。
【００１６】
定着部１６は、用紙Ｐを加熱及び加圧し、用紙Ｐに形成された画像を用紙Ｐに定着する。排出部１７は、用紙Ｐを画像形成装置１の外部へ排出する。
【００１７】
操作表示部１８は、ユーザーからの操作を受け付ける。操作表示部１８は、タッチパネル１８１を備える。タッチパネル１８１は、例えば、ＬＣＤ（Ｌｉｑｕｉｄ  Ｃｒｙｓｔａｌ  Ｄｉｓｐｌａｙ）を備え、種々の画像を表示する。タッチパネル１８１は、「表示部」に相当する。また、タッチパネル１８１は、タッチセンサーを更に備え、ユーザーからの操作を受け付ける。
【００１８】
次に、図１及び図２を参照して、本発明の実施形態に係る制御部１１の構成について説明する。図２は、制御部１１の構成を示す図である。図２に示すように、制御部１１は、判定部１１１、表示部１１２、第１決定部１１３、第２決定部１１４、第３決定部１１５、第４決定部１１６、変更部１１７、初期化部１１８及び指示部１１９を備える。具体的には、プロセッサー１１Ａが、制御プログラムを実行することによって、判定部１１１、表示部１１２、第１決定部１１３、第２決定部１１４、第３決定部１１５、第４決定部１１６、変更部１１７、初期化部１１８及び指示部１１９として機能する。
【００１９】
判定部１１１は、「待ち状態」において、２つ以上の所定個数ＮＡの内部情報ＪＦの印刷指示が行われたか否かを判定する。具体的には、判定部１１１は、ユーザーによるタッチパネル１８１の操作に基づいて、「待ち状態」において、２つ以上の所定個数ＮＡの内部情報ＪＦの印刷指示が行われたか否かを判定する。印刷指示は、画像を用紙Ｐに形成する指示を示す。また、印刷指示は、ユーザーによるタッチパネル１８１の操作によって行われる。「待ち状態」は、所定個数ＮＡの内部情報ＪＦのうち、少なくとも１つの内部情報ＪＦＡの変更を有効にするために、再起動、及びプログラムのアップデートの少なくとも一方の実行が待たされている状態を示す。プログラムは、ファームウェアを含む。
【００２０】
表示部１１２は、「待ち状態」で所定個数ＮＡの内部情報ＪＦの印刷指示が行われたと判定部１１１が判定した場合に、「待ち状態」である旨をタッチパネル１８１に表示する。表示部１１２は、例えば、「内部情報の変更を有効にするためには再起動が必要です。」とのメッセージをタッチパネル１８１に表示する。
【００２１】
第１決定部１１３は、「待ち状態」で所定個数ＮＡの内部情報ＪＦの印刷指示が行われたと判定部１１１が判定した場合に、所定個数ＮＡの内部情報ＪＦを印刷するか否かを決定する。具体的には、第１決定部１１３は、ユーザーによるタッチパネル１８１の操作に基づいて、所定個数ＮＡの内部情報ＪＦを印刷するか否かを決定する。
【００２２】
第２決定部１１４は、所定個数ＮＡの内部情報ＪＦを印刷すると第１決定部１１３が決定した場合に、有効になっていない内部情報ＪＦＡがあることを示す第２画像Ｐ２を用紙Ｐに形成するか否かを決定する。
【００２３】
第３決定部１１５は、「待ち状態」で所定個数ＮＡの内部情報ＪＦの印刷指示が行われたと判定部１１１が判定した場合に、内部情報ＪＦＡの変更が有効になった後に第１画像Ｐ１を用紙Ｐに形成するか否かを決定する。
【００２４】
第４決定部１１６は、内部情報ＪＦ毎に印刷するか否かを決定する。具体的には、第４決定部１１６は、ユーザーによるタッチパネル１８１の操作に基づいて、内部情報ＪＦ毎に印刷するか否かを決定する。
【００２５】
変更部１１７は、ユーザーによるタッチパネル１８１の操作に基づいて、所定個数ＮＡの内部情報ＪＦのうち複数の内部情報ＪＦＢを一括して変更する。
【００２６】
初期化部１１８は、ユーザーによるタッチパネル１８１の操作に基づいて、所定個数ＮＡの内部情報ＪＦを初期値に一括して変更する。
【００２７】
指示部１１９は、画像形成ユニット１４に対して、所定個数ＮＡの内部情報ＪＦを示す第１画像Ｐ１を用紙Ｐに形成するよう指示する。具体的には、指示部１１９は、所定個数ＮＡの内部情報ＪＦを印刷すると第１決定部１１３が決定した場合に、画像形成ユニット１４に対して、用紙Ｐに第１画像Ｐ１を形成するよう指示する。更に具体的には、指示部１１９は、画像形成ユニット１４に対して、所定個数ＮＡの内部情報ＪＦのうち、第４決定部１１６が印刷すると決定した内部情報ＪＦに対応する第１画像Ｐ１を用紙Ｐに形成するよう指示する。指示部１１９は、「画像形成部」の一部に相当する。
【００２８】
以上、図１及び図２を参照して説明したように、本発明の実施形態では、「待ち状態」で所定個数ＮＡの内部情報ＪＦの印刷指示が行われたと判定部１１１が判定した場合に、表示部１１２が「待ち状態」である旨を表示する。したがって、ユーザーは、「待ち状態」であるか否かを確認できる。「待ち状態」である場合には、内部情報ＪＦＡの変更が行われていない。よって、内部情報ＪＦＡの変更が行われていないため、内部情報ＪＦを印刷しないことが可能になる。したがって、ユーザーの所望しない印刷を抑制できる。
【００２９】
また、「待ち状態」で所定個数ＮＡの内部情報ＪＦの印刷指示が行われたと判定部１１１が判定した場合に、第１決定部１１３が、ユーザーによるタッチパネル１８１の操作に基づいて、内部情報ＪＦを印刷するか否かを決定する。よって、ユーザーは内部情報ＪＦを印刷するか否かを決定できる。したがって、ユーザーの所望しない印刷を更に抑制できる。
【００３０】
更に、第４決定部１１６は、内部情報ＪＦ毎に印刷するか否かをユーザーによるタッチパネル１８１の操作に基づいて決定する。よって、ユーザーが印刷を所望する内部情報ＪＦだけを印刷できる。したがって、ユーザーの所望しない印刷を更に抑制できる。
【００３１】
次に、図１〜図３を参照して、制御部１１の処理について説明する。図３は、制御部１１の処理を説明するための画面図である。図３（ａ）は、印刷対象選択画面２００の画面図であり、図３（ｂ）は、印刷条件設定画面２５０の画面図である。印刷対象選択画面２００は、印刷する対象とする内部情報ＪＦをユーザーが選択する場合に、表示部１１２がタッチパネル１８１に表示する。印刷条件設定画面２５０は、内部情報ＪＦを印刷する条件をユーザーが設定する場合に、表示部１１２がタッチパネル１８１に表示する。
【００３２】
図３（ａ）に示すように、印刷対象選択画面２００には、第１内部情報ボタン２０１、第２内部情報ボタン２０２、第３内部情報ボタン２０３、第４内部情報ボタン２０４、決定ボタン２０５及びキャンセルボタン２０６が表示されている。
【００３３】
内部情報ＪＦは、第１内部情報ＪＦ１と、第２内部情報ＪＦ２と、第３内部情報ＪＦ３と、第４内部情報ＪＦ４とを含む。第１内部情報ＪＦ１は、例えば、コピー機能に関する内部情報である。第２内部情報ＪＦ２は、例えば、ファクシミリ機能に関する内部情報である。第３内部情報ＪＦ３は、例えば、プリント機能に関する内部情報である。第４内部情報ＪＦ４は、例えば、ネットワーク設定機能に関する内部情報である。第１内部情報ＪＦ１、第２内部情報ＪＦ２、第３内部情報ＪＦ３及び第４内部情報ＪＦ４は、それぞれ少なくとも１つの内部情報を含む。
【００３４】
第１内部情報ボタン２０１は、ユーザーが第１内部情報ＪＦ１の印刷を所望する場合にタッチされる。第１内部情報ボタン２０１をユーザーがタッチした場合には、第１内部情報ＪＦ１が選択状態になる。第１内部情報ボタン２０１をユーザーがタッチした場合には、表示部１１２が、その表示形態を変化する。例えば、第１内部情報ボタン２０１をユーザーがタッチした場合には、表示部１１２は第１内部情報ボタン２０１を点滅状態にする。
【００３５】
第２内部情報ボタン２０２は、ユーザーが第２内部情報ＪＦ２の印刷を所望する場合にタッチされる。第２内部情報ボタン２０２をユーザーがタッチした場合には、第２内部情報ＪＦ２が選択状態になる。第２内部情報ボタン２０２をユーザーがタッチした場合には、表示部１１２が、その表示形態を変化する。例えば、第２内部情報ボタン２０２をユーザーがタッチした場合には、表示部１１２は第２内部情報ボタン２０２を点滅状態にする。
【００３６】
第３内部情報ボタン２０３は、ユーザーが第３内部情報ＪＦ３の印刷を所望する場合にタッチされる。第３内部情報ボタン２０３をユーザーがタッチした場合には、第３内部情報ＪＦ３が選択状態になる。第３内部情報ボタン２０３をユーザーがタッチした場合には、表示部１１２が、その表示形態を変化する。例えば、第３内部情報ボタン２０３をユーザーがタッチした場合には、表示部１１２は第３内部情報ボタン２０３を点滅状態にする。
【００３７】
第４内部情報ボタン２０４は、ユーザーが第４内部情報ＪＦ４の印刷を所望する場合にタッチされる。第４内部情報ボタン２０４をユーザーがタッチした場合には、第４内部情報ＪＦ４が選択状態になる。第４内部情報ボタン２０４をユーザーがタッチした場合には、表示部１１２が、その表示形態を変化する。例えば、第４内部情報ボタン２０４をユーザーがタッチした場合には、表示部１１２は第４内部情報ボタン２０４を点滅状態にする。
【００３８】
決定ボタン２０５は、ユーザーが印刷を所望する内部情報を決定する場合にタッチされる。決定ボタン２０５をユーザーがタッチした場合には、制御部１１は、第１内部情報ボタン２０１〜第４内部情報ボタン２０４を介して選択状態になった内部情報を、印刷する対象の内部情報に決定する。例えば、第２内部情報ボタン２０２をユーザーがタッチして、第２内部情報ＪＦ２が選択状態になっているときに、決定ボタン２０５をユーザーがタッチした場合には、制御部１１は、第２内部情報ＪＦ２を印刷する対象の内部情報に決定する。また、例えば、第１内部情報ＪＦ１と第３内部情報ＪＦ３とが選択状態になっているときに、決定ボタン２０５をユーザーがタッチした場合には、制御部１１は、第１内部情報ＪＦ１と第３内部情報ＪＦ３とを印刷する対象の内部情報に決定する。
【００３９】
キャンセルボタン２０６は、印刷を所望する内部情報をユーザーがキャンセルする場合にタッチされる。キャンセルボタン２０６をユーザーがタッチした場合には、制御部１１は、内部情報の選択状態を解消する。
【００４０】
図３（ｂ）に示すように、印刷条件設定画面２５０には、メッセージ表示部２５Ａ、通常印刷ボタン２５１、通知画像印刷ボタン２５２、印刷予約ボタン２５３、決定ボタン２５４及びキャンセルボタン２５５が表示されている。
【００４１】
メッセージ表示部２５ａには、「再起動が予約されています。内部情報の印刷条件を選択してください。」とのメッセージが表示されている。「再起動が予約されています。」とは、所定個数ＮＡの内部情報ＪＦのうち、少なくとも１つの内部情報ＪＦＡの変更を有効にするために、再起動の実行が待たされていること（すなわち、「待ち状態」であること）を示す。
【００４２】
通常印刷ボタン２５１は、ユーザーが「通常の印刷」を所望する場合にタッチされる。「通常の印刷」とは、「待ち状態」でない場合と同様の印刷を示す。すなわち、「通常の印刷」とは、所定個数ＮＡの内部情報ＪＦのうち印刷対象選択画面２００を介して選択された内部情報を印刷することを示す。通常印刷ボタン２５１をユーザーがタッチした場合には、表示部１１２が、その表示形態を変化する。例えば、通常印刷ボタン２５１をユーザーがタッチした場合には、表示部１１２は通常印刷ボタン２５１を点滅状態にする。
【００４３】
通知画像印刷ボタン２５２は、ユーザーが「通知画像の印刷」を所望する場合にタッチされる。「通知画像の印刷」とは、内部情報を印刷する際に、「待ち状態」であることを示す通知画像（第２画像Ｐ２）を印刷することを示す。通知画像印刷ボタン２５２をユーザーがタッチした場合には、表示部１１２が、その表示形態を変化する。例えば、通知画像印刷ボタン２５２をユーザーがタッチした場合には、表示部１１２は通知画像印刷ボタン２５２を点滅状態にする。
【００４４】
印刷予約ボタン２５３は、ユーザーが「印刷予約」を所望する場合にタッチされる。「印刷予約」とは、再起動が実行され、内部情報ＪＦＡの変更が有効になった後に、所定個数ＮＡの内部情報ＪＦのうち印刷対象選択画面２００を介して選択された内部情報を印刷することを示す。印刷予約ボタン２５３をユーザーがタッチした場合には、表示部１１２が、その表示形態を変化する。例えば、印刷予約ボタン２５３をユーザーがタッチした場合には、表示部１１２は印刷予約ボタン２５３を点滅状態にする。
【００４５】
決定ボタン２５４は、所定個数ＮＡの内部情報ＪＦを印刷する条件をユーザーが決定する場合にタッチされる。例えば、通常印刷ボタン２５１が選択された状態で決定ボタン２５４をユーザーがタッチした場合には、第１決定部１１３が所定個数ＮＡの内部情報ＪＦを印刷すると決定する。また、例えば、通知画像印刷ボタン２５２が選択された状態で決定ボタン２５４をユーザーがタッチした場合には、第２決定部１１４が、第２画像Ｐ２を用紙Ｐに形成すると決定する。更に、例えば、印刷予約ボタン２５３が選択された状態で決定ボタン２５４をユーザーがタッチした場合には、第３決定部１１５は、再起動が実行され内部情報ＪＦＡの変更が有効になった後に第１画像Ｐ１を用紙Ｐに形成すると決定する。
【００４６】
キャンセルボタン２５５は、所定個数ＮＡの内部情報ＪＦを印刷する条件をユーザーがキャンセルする場合にタッチされる。キャンセルボタン２５５をユーザーがタッチした場合には、制御部１１は、内部情報ＪＦを印刷する条件の選択状態を解消する。
【００４７】
以上、図１〜図３を参照して説明したように、本発明の実施形態では、所定個数ＮＡの内部情報ＪＦを印刷すると第１決定部１１３が決定した場合に、第２決定部１１４が、ユーザーからの操作に基づいて第２画像Ｐ２を用紙Ｐに形成するか否かを決定する。したがって、第２画像Ｐ２を用紙Ｐに形成すると決定した場合には、ユーザーは、用紙Ｐに形成された第２画像Ｐ２によって、有効になっていない内部情報ＪＦＡがあることを確認できる。
【００４８】
また、「待ち状態」で所定個数ＮＡの内部情報ＪＦの印刷指示が行われたと判定部１１１が判定した場合に、第３決定部１１５は、内部情報ＪＦＡの変更が有効になった後に第１画像Ｐ１を用紙Ｐに形成するか否かをユーザーの操作に基づいて決定する。したがって、内部情報ＪＦＡの変更が有効になった後に、ユーザーが第１画像Ｐ１を用紙Ｐに形成する旨の指示をする必要がないため、ユーザーの利便性を向上できる。
【００４９】
更に、印刷対象選択画面２００を介して印刷する対象の内部情報をユーザーが決定することができる。したがって、ユーザーの所望しない印刷を更に抑制できる。
【００５０】
次に、図１〜図４を参照して、第２画像Ｐ２について説明する。図４は、用紙Ｐに形成される画像３００の一例を示す図である。図４に示すように、画像３００は、メッセージ画像３０１、第１内部情報画像３０２、第２内部情報画像３０３、第３内部情報画像３０４及び第４内部情報画像３０５を含む。第１内部情報画像３０２〜第４内部情報画像３０５は、第１画像Ｐ１の一例に相当する。
【００５１】
メッセージ画像３０１は、「※再起動後に変更される内部情報があります。」とのテキスト画像である。メッセージ画像３０１は、第２画像Ｐ２の一例に相当する。
【００５２】
第１内部情報画像３０２は、第１内部情報ＪＦ１の画像を示す。第１内部情報画像３０２は、解像度３０２Ａを含む。第２内部情報画像３０３は、第２内部情報ＪＦ２の画像を示す。第２内部情報画像３０３は、解像度３０３Ａを含む。第３内部情報画像３０４は、第３内部情報ＪＦ３の画像を示す。第３内部情報画像３０４は、給紙段３０４Ａを含む。第４内部情報画像３０５は、第４内部情報ＪＦ４の画像を示す。
【００５３】
解像度３０２Ａ及び給紙段３０４Ａには下線が付与されている。下線は、変更が有効になった内部情報ＪＦＡを示す。指示部１１９は、所定個数ＮＡの内部情報ＪＦのうち、変更が有効になった内部情報ＪＦＡを他の内部情報と異なる形態の画像で用紙Ｐに形成する。例えば、変更が有効になった内部情報ＪＦＡの画像には下線を付与し、他の内部情報の画像には下線を付与しない。
【００５４】
具体的には、指示部１１９は、変更前の所定個数ＮＡの内部情報ＪＦを記憶部１１Ｂに記憶する。また、指示部１１９は、変更後の所定個数ＮＡの内部情報ＪＦを記憶部１１Ｂに記憶する。そして、指示部１１９は、変更後の内部情報ＪＦと変更前の内部情報ＪＦとを比較して、変更された内部情報を決定する。更に、指示部１１９は、変更された内部情報を他の内部情報と異なる形態の画像で用紙Ｐに形成する。
【００５５】
以上、図１〜図４を参照して説明したように、本発明の実施形態では、指示部１１９が、変更が有効になった内部情報を他の内部情報と異なる形態の画像で用紙Ｐに形成する。したがって、ユーザーは変更が有効になった内部情報を容易に確認できる。
【００５６】
また、第２画像Ｐ２が、「※再起動後に変更される内部情報があります。」とのテキスト画像であるため、有効になっていない内部情報ＪＦＡがあることをユーザーが容易に確認できる。
【００５７】
次に、図１〜図７を参照して、制御部１１の処理について説明する。図５〜図７は、制御部１１の処理を示すフローチャートである。
【００５８】
まず、図５に示すように、ステップＳ１０１において、判定部１１１が内部情報ＪＦの印刷指示が行われたか否かを判定する。
内部情報ＪＦの印刷指示が行われていないと判定部１１１が判定した場合（ステップＳ１０１でＮＯ）には、処理が待機状態になる。内部情報ＪＦの印刷指示が行われたと判定部１１１が判定した場合（ステップＳ１０１でＹＥＳ）には、処理がステップＳ１０３に進む。
そして、ステップＳ１０３において、判定部１１１は、内部情報ＪＦＡの変更を有効にするために、再起動が必要であるか否かを判定する。
再起動が必要ではないと判定部１１１が判定した場合（ステップＳ１０３でＮＯ）には、処理がステップＳ１０７に進む。再起動が必要であると判定部１１１が判定した場合（ステップＳ１０３でＹＥＳ）には、処理がステップＳ１０５に進む。
そして、ステップＳ１０５において、判定部１１１が、再起動の実行が可能であるか否かを判定する。具体的には、他の処理が実行中である場合には、判定部１１１は、再起動の実行が可能ではないと判定し、他の処理が実行中ではない場合には、判定部１１１は、再起動の実行が可能であると判定する。
再起動の実行が可能であると判定部１１１が判定した場合（ステップＳ１０５でＹＥＳ）には、処理が図６のステップＳ１１９に進む。再起動の実行が可能ではないと判定部１１１が判定した場合（ステップＳ１０５でＮＯ）には、処理がステップＳ１２５に進む。
【００５９】
ステップＳ１０３でＮＯの場合には、ステップＳ１０７において、判定部１１１が、内部情報ＪＦＡの変更を有効にするためにプログラムのアップデートが必要であるか否かを判定する。
プログラムのアップデートが必要であると判定した場合（ステップＳ１０７でＹＥＳ）には、処理がステップＳ１１１に進む。プログラムのアップデートが必要ではないと判定した場合（ステップＳ１０７でＮＯ）には、処理がステップＳ１０９に進む。
そして、ステップＳ１０９において、指示部１１９が、画像形成ユニット１４に対して、第１画像Ｐ１を用紙Ｐに形成するよう指示し、処理がステップＳ１０１にリターンする。
ステップＳ１０７でＹＥＳの場合には、ステップＳ１１１において、判定部１１１が、プログラムのアップデートの実行が可能であるか否かを判定する。具体的には、他の処理が実行中である場合には、判定部１１１は、プログラムのアップデートの実行が可能ではないと判定し、他の処理が実行中ではない場合には、判定部１１１は、プログラムのアップデートの実行が可能であると判定する。
プログラムのアップデートの実行が可能であると判定部１１１が判定した場合（ステップＳ１１１でＹＥＳ）には、処理が図６のステップＳ１１３に進む。プログラムのアップデートの実行が可能ではないと判定部１１１が判定した場合（ステップＳ１１１でＮＯ）には、処理がステップＳ１２５に進む。
そして、ステップＳ１２５において、表示部１１２は、「待ち状態」である旨をタッチパネル１８１に表示し、処理が図７に示すステップＳ１２７に進む。
【００６０】
ステップＳ１０５でＹＥＳの場合には、図６に示すステップＳ１１９において、制御部１１が、再起動を実行し、内部情報ＪＦＡの変更を有効にする。
そして、ステップＳ１２１において、指示部１１９が、「予約フラグＦＲ」がオンであるか否かを判定する。「予約フラグＦＲ」は、内部情報ＪＦＡの変更が有効になった後に第１画像Ｐ１を用紙Ｐに形成するか否かを示すフラグである。「予約フラグＦＲ」がオンである場合には、内部情報ＪＦＡの変更が有効になった後に第１画像Ｐ１を用紙Ｐに形成し、「予約フラグＦＲ」がオフである場合には、内部情報ＪＦＡの変更が有効になった後に第１画像Ｐ１を用紙Ｐに形成しない。「予約フラグＦＲ」は、第３決定部１１５が内部情報ＪＦＡの変更が有効になった後に第１画像Ｐ１を用紙Ｐに形成すると決定した場合にオンされる。
「予約フラグＦＲ」がオンではないと指示部１１９が判定した場合（ステップＳ１２１でＮＯ）には、処理が図５のステップＳ１０１にリターンする。「予約フラグＦＲ」がオンであると指示部１１９が判定した場合（ステップＳ１２１でＹＥＳ）には、処理がステップＳ１２３に進む。
そして、ステップＳ１２３において、指示部１１９が、画像形成ユニット１４に対して、第１画像Ｐ１を用紙Ｐに形成するよう指示し、予約フラグＦＲをオフにして、処理が図５のステップＳ１０１にリターンする。
【００６１】
図５のステップＳ１１１でＹＥＳの場合には、図６に示すステップＳ１１３において、制御部１１が、プログラムのアップデートを実行し、内部情報ＪＦＡの変更を有効にする。
そして、ステップＳ１１５において、指示部１１９が、「予約フラグＦＲ」がオンであるか否かを判定する。
「予約フラグＦＲ」がオンではないと指示部１１９が判定した場合（ステップＳ１１５でＮＯ）には、処理が図５のステップＳ１０１にリターンする。「予約フラグＦＲ」がオンであると指示部１１９が判定した場合（ステップＳ１１５でＹＥＳ）には、処理がステップＳ１１７に進む。
そして、ステップＳ１１７において、指示部１１９が画像形成ユニット１４に対して、第１画像Ｐ１を用紙Ｐに形成するよう指示し、予約フラグＦＲをオフにして、処理が図５のステップＳ１０１にリターンする。
【００６２】
図５のステップＳ１２５の処理が終了すると、図７に示すステップＳ１２７において、第１決定部１１３が所定個数ＮＡの内部情報ＪＦの印刷を実行するか否かを決定する。
内部情報ＪＦの印刷を実行しないと第１決定部１１３が決定した場合（ステップＳ１２７でＮＯ）には、処理がステップＳ１３１に進む。内部情報ＪＦの印刷を実行すると第１決定部１１３が決定した場合（ステップＳ１２７でＹＥＳ）には、処理がステップＳ１２９に進む。
そして、ステップＳ１２９において、制御部１１が「画像生成処理」を実行し、処理が図５のステップＳ１０１にリターンする。「画像形成処理」は、第１画像Ｐ１と第２画像Ｐ２、第３画像Ｐ３又は第４画像Ｐ４とを用紙Ｐに形成する処理を示す。「画像形成処理」の詳細については、図８を参照して後述する。
【００６３】
ステップＳ１２７でＮＯの場合には、ステップＳ１３１において、第３決定部１１５が、内部情報ＪＦＡの変更が有効になった後に第１画像Ｐ１を用紙Ｐに形成するか否かを決定する。
内部情報ＪＦＡの変更が有効になった後に第１画像Ｐ１を用紙Ｐに形成しないと第３決定部１１５が決定した場合（ステップＳ１３１でＮＯ）には、処理が図５のステップＳ１０１にリターンする。内部情報ＪＦＡの変更が有効になった後に第１画像Ｐ１を用紙Ｐに形成すると第３決定部１１５が決定した場合（ステップＳ１３１でＹＥＳ）には、処理がステップＳ１３３に進む。
そして、ステップＳ１３３において、第３決定部１１５が予約フラグＦＲをオンにして、処理が図５のステップＳ１０１にリターンする。
【００６４】
以上、図１〜図７を参照して説明したように、本発明の実施形態では、内部情報ＪＦＡの変更が有効になった後に第１画像Ｐ１を用紙Ｐに形成すると第３決定部１１５が決定した場合に、第３決定部１１５が予約フラグＦＲをオンにする。また、再起動が実行され、内部情報ＪＦＡの変更が有効になったときに、予約フラグＦＲがオンである場合には、指示部１１９が第１画像Ｐ１を用紙Ｐに形成する。更に、プログラムのアップデートが実行され、内部情報ＪＦＡの変更が有効になったときに、予約フラグＦＲがオンである場合には、指示部１１９が第１画像Ｐ１を用紙Ｐに形成する。このようにして、予約フラグＦＲを用いて内部情報ＪＦＡの変更が有効になった後に第１画像Ｐ１を用紙Ｐに形成できる。
【００６５】
次に、図１〜図８を参照して、制御部１１の「画像形成処理」について説明する。図８は、制御部１１の「画像形成処理」を示すフローチャートである。
【００６６】
まず、ステップＳ２０１において、変更部１１７が、所定個数ＮＡの内部情報ＪＦのうち複数の内部情報ＪＦＢを一括して変更したか否かを判定する。具体的には、変更部１１７は、ユーザーからの操作に基づいて所定個数ＮＡの内部情報ＪＦのうち複数の内部情報ＪＦＢを一括して変更したか否かを決定する。
複数の内部情報ＪＦＢを一括して変更していないと変更部１１７が判定した場合（ステップＳ２０１でＮＯ）には、処理がステップＳ２０５に進む。複数の内部情報ＪＦＢを一括して変更したと変更部１１７が判定した場合（ステップＳ２０１でＹＥＳ）には、処理がステップＳ２０３に進む。
そして、ステップＳ２０３において、指示部１１９が、画像形成ユニット１４に対して、第１画像Ｐ１及び第３画像Ｐ３を用紙Ｐに形成するよう指示し、処理が図５のステップＳ１０１にリターンする。第３画像Ｐ３は、複数の内部情報ＪＦＢが一括して変更されたことを示す。第３画像Ｐ３は、例えば、「複数の内部情報が一括して変更されました。」との文字画像である。
【００６７】
ステップＳ２０１でＮＯの場合には、ステップＳ２０５において、初期化部１１８が所定個数ＮＡの内部情報ＪＦを初期値に一括して変更したか否かを判定する。
内部情報ＪＦを初期値に一括して変更していないと初期化部１１８が判定した場合（ステップＳ２０５でＮＯ）には、処理がステップＳ２０９に進む。内部情報ＪＦを初期値に一括して変更したと初期化部１１８が判定した場合（ステップＳ２０５でＹＥＳ）には、処理がステップＳ２０７に進む。
そして、ステップＳ２０７において、指示部１１９が、画像形成ユニット１４に対して、第１画像Ｐ１及び第４画像Ｐ４を用紙Ｐに形成するよう指示し、処理が図５のステップＳ１０１にリターンする。第４画像Ｐ４は、所定個数ＮＡの内部情報ＪＦが初期値に一括して変更されたことを示す。第４画像Ｐ４は、例えば、「内部情報が初期値に一括して変更されました。」との文字画像である。
【００６８】
ステップＳ２０５でＮＯの場合には、ステップＳ２０９において、第２決定部１１４が第２画像Ｐ２を用紙Ｐに形成するか否かを判定する。
第２画像Ｐ２を用紙Ｐに形成すると判定した場合（ステップＳ２０９でＹＥＳ）には、処理がステップＳ２１１に進む。
そして、ステップＳ２１１において、指示部１１９が、画像形成ユニット１４に対して、第１画像Ｐ１及び第２画像Ｐ２を用紙Ｐに形成するよう指示し、処理が図５のステップＳ１０１にリターンする。
第２画像Ｐ２を用紙Ｐに形成しないと判定した場合（ステップＳ２０９でＮＯ）には、処理がステップＳ２１３に進む。
そして、ステップＳ２１３において、指示部１１９が、画像形成ユニット１４に対して、第１画像Ｐ１を用紙Ｐに形成するよう指示し、処理が図５のステップＳ１０１にリターンする。
【００６９】
以上、図１〜図８を参照して説明したように、本発明の実施形態では、変更部１１７が複数の内部情報ＪＦＢを一括して変更した場合に、指示部１１９は、第３画像Ｐ３を用紙Ｐに形成する。したがって、ユーザーは、用紙Ｐに形成された第３画像Ｐ３によって、複数の内部情報ＪＦＢが一括して変更されたことを確認できる。
【００７０】
また、初期化部１１８が所定個数ＮＡの内部情報ＪＦを初期値に変更した場合に、指示部１１９は、第４画像Ｐ４を用紙Ｐに形成する。したがって、ユーザーは、用紙Ｐに形成された第４画像Ｐ４によって、所定個数ＮＡの内部情報ＪＦが初期値に変更されたことを確認できる。
【００７１】
更に、初期化部１１８が所定個数ＮＡの内部情報ＪＦを初期値に変更した場合に、表示部１１２は、所定個数ＮＡの内部情報ＪＦが一括して初期値に変更された旨をタッチパネル１８１に表示することが好ましい。この形態では、ユーザーは、所定個数ＮＡの内部情報ＪＦが一括して初期値に変更されたことを容易に確認できる。
【００７２】
以上、図面を参照しながら本発明の実施形態について説明した。ただし、本発明は、上記の実施形態に限られるものではなく、その要旨を逸脱しない範囲で種々の態様において実施することが可能である（例えば、下記に示す（１）〜（４））。図面は、理解し易くするために、それぞれの構成要素を主体に模式的に示しており、図示された各構成要素の厚み、長さ、個数等は、図面作成の都合上から実際とは異なる場合がある。また、上記の実施形態で示す各構成要素の形状、寸法等は一例であり、特に限定されるものではなく、本発明の構成から実質的に逸脱しない範囲で種々の変更が可能である。
【００７３】
（１）図１を参照して説明したように、画像形成装置１はカラー複合機であるが、本発明はこれに限定されない。画像形成装置が用紙Ｐに画像を形成すればよい。例えば、画像形成装置がカラープリンターでもよい。また、例えば、画像形成装置がカラー複写機でもよい。
【００７４】
（２）図１〜図４を参照して説明したように、指示部１１９は変更が有効になった内部情報に下線を付与するが、本発明はこれに限定されない。指示部１１９は、変更が有効になった内部情報を他の内部情報と異なる形態の画像で用紙Ｐに形成すればよい。例えば、指示部１１９は、変更が有効になった内部情報を他の内部情報と異なる色の画像で形成してもよい。
【００７５】
（３）図１〜図８を参照して説明したように、変更部１１７が複数の内部情報ＪＦＢを一括して変更し、「待ち状態」で内部情報ＪＦを印刷すると第１決定部１１３が決定した場合に、指示部１１９が第３画像Ｐ３を用紙Ｐに形成するが、本発明はこれに限定されない。変更部１１７が複数の内部情報ＪＦＢを一括して変更した場合に、指示部１１９が第３画像Ｐ３を用紙Ｐに形成すればよい。
【００７６】
（４）図１〜図８を参照して説明したように、初期化部１１８が所定個数ＮＡの内部情報ＪＦを初期値に一括して変更し、「待ち状態」で内部情報ＪＦを印刷すると第１決定部１１３が決定した場合に、指示部１１９が第４画像Ｐ４を用紙Ｐに形成するが、本発明はこれに限定されない。初期化部１１８が所定個数ＮＡの内部情報ＪＦを初期値に一括して変更した場合に、指示部１１９が第４画像Ｐ４を用紙Ｐに形成すればよい。
【産業上の利用可能性】
【００７７】
本発明は、画像形成装置に関するものであり、産業上の利用可能性を有する。
【符号の説明】
【００７８】
１    画像形成装置
１１    制御部
１１Ａ    プロセッサー
１１Ｂ    記憶部
１１１    判定部
１１２    表示部
１１３    第１決定部
１１４    第２決定部
１１５    第３決定部
１１６    第４決定部
１１７    変更部
１１８    初期化部
１１９    指示部（画像形成部の一部）
１４    画像形成ユニット（画像形成部の一部）
１８    操作表示部
１８１    タッチパネル
Ｐ１    第１画像
Ｐ２    第２画像
Ｐ３    第３画像
Ｐ４    第４画像
【図１】
2018199294.tif 000003
【図２】
2018199294.tif 000004
【図３】
2018199294.tif 000005
【図４】
2018199294.tif 000006
【図５】
2018199294.tif 000007
【図６】
2018199294.tif 000008
【図７】
2018199294.tif 000009
【図８】
2018199294.tif 000010